(57)【特許請求の範囲】
【請求項１】
複数のレンズより構成された光学系において、該光学系の一部又は全部を透過した光線から、２方向以上の軸外光束の片ボケ量を検出し、該片ボケ量が最小となるように、前記光学系内の単数或いは複数のレンズから成るレンズブロックの位置を、位置調整手段を用いて調整した後、該被調整レンズブロックを固定して組み立てられる光学系であって、
前記光学系はズームレンズ系であって、前記被調整レンズブロックは、ズーミングの際にその前後のレンズブロックとは独立に移動する光学系において、
前記被調整レンズブロックは、偏心誤差感度に関して以下の条件式を満足する事を特徴とする光学系；
｜Ｋ（ａｘｃｍ）／Ｋ（ｄｍ）｜＜０．１
０．０１＜｜Ｋ（ｄｍ）／Ｙ｜＜０．２
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【請求項２】
複数のレンズより構成された光学系において、該光学系の一部又は全部を透過した光線から、軸上光束の軸上コマ量を検出し、該軸上コマ量が最小となるように、前記光学系内の単数或いは複数のレンズから成るレンズブロックの位置を、位置調整手段を用いて調整した後、該被調整レンズブロックを固定して組み立てられる光学系であって、
前記光学系はズームレンズ系であって、前記被調整レンズブロックは、ズーミングの際にその前後のレンズブロックとは独立に移動する光学系において、
前記被調整レンズブロックは、偏心誤差感度に関して以下の条件式を満足する事を特徴とする光学系；
｜Ｋ（ｄｍ）／Ｋ（ａｘｃｍ）｜＜３
０．０００３＜｜Ｋ（ａｘｃｍ）／Ｙ｜＜０．０２
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【請求項３】
複数のレンズより構成された光学系において、該光学系の一部又は全部を透過した光線から、軸上光束の軸上コマ量を検出し、該軸上コマ量が最小となるように、前記光学系内の単数或いは複数のレンズから成る第１のレンズブロックの位置を、位置調整手段を用いて調整し、該第１の被調整レンズブロックを固定した後、前記光学系内の単数或いは複数のレンズから成る第２のレンズブロックが組み込まれるとともに、組み込まれた該第２のレンズブロックを含む光学系を透過した光線から、２方向以上の軸外光束の片ボケ量を検出し、該片ボケ量が最小となるように、前記第２のレンズブロックの位置を、位置調整手段を用いて調整した後、該第２の被調整レンズブロックを固定して組み立てられる事を特徴とする請求項１又は請求項２に記載の光学系。
【請求項４】
前記光学系は、物体側より順に、正の第１レンズ群，正の第２レンズ群，正の第３レンズ群，負の第４レンズ群より構成され、各レンズ群間隔を変化させてズーミングを行うズームレンズ系であって、レンズ鏡胴の組立時に前記正の第２レンズ群を光軸と垂直に動かして軸上コマ調芯を行った後、前記正の第１レンズ群を光軸と垂直に動かして片ボケ調芯を行って組み立てる事を特徴とする請求項１又は請求項２に記載の光学系。
【発明の詳細な説明】
【０００１】
【発明の属する技術分野】
本発明は、カメラ等の光学系の中で、その偏心誤差感度が大きく、レンズ位置調整組立が必要とされるコンパクトな光学系に関するものである。
【０００２】
【従来の技術】
従来より、レンズの玉枠への組み込みに関しては、レンズ外径と同じか少し大きめの内径を持つ玉枠にレンズを挿入し、加締して、スプリングワッシャ或いは接着で固定するのが一般的であった。ところが、この方法は、組み込みやすく部材が安価に加工できる反面、レンズが光軸に対して偏心しやすく、レンズを位置精度良く保持できないという問題を有していた。レンズが光軸に対して偏心すると、偏心誤差の結果、軸上コマや片ボケ等の偏心収差が発生するため、従来のレンズの玉枠への組み込みは、光学性能を劣化させる大きな原因となっていた。
【０００３】
この後、軸上コマの誤差感度が高い光学系に関しては、光学系を透過した光線から軸上コマを検出し、その軸上コマ量が最小となるように、１枚のレンズ位置を調整する手段を有するレンズ位置調整装置が開発され、その装置を使って組立が行われてきた。この装置は、光学系全系の中のある１つの群の中の軸上コマを、ある１枚のレンズの相対位置を調整する事で最小にするという役割を果たしてきた。
【０００４】
【発明が解決しようとする課題】
しかしながら、近年、光学系の小型化の流れの中で、一つのレンズブロックの中だけではなく、各レンズブロック間同士の偏心誤差感度が大きくなってきており、従来のようにレンズブロックをそのまま組み込んだのでは、偏心収差が大きくて所望の光学性能を達成できないという問題が起こってきた。また、従来は、軸上コマを除去すれば或程度片ボケも小さくなるという誤差特性を持つ事が多かったが、近年では、軸上コマを除去しても片ボケが残ってしまうという誤差感度特性を持つ光学系の割合が、徐々に増えてきている。
【０００５】
要するに、光学系の小型化により、各偏心誤差感度が大きくなったため、従来の組立方法では所望の性能を確保する事ができなくなってきており、その解決が大きな課題として発生してきた。本発明は、上記従来の組立方法では所望の性能を確保する事ができなくなった光学系について、その性能を確保するためのレンズ位置調整方法を用いて組み立てる事ができるように構成した光学系を提供する事を目的とする。
【０００６】
【課題を解決するための手段】
上記目的を達成するために、本発明では、複数のレンズより構成された光学系において、その光学系の一部又は全部を透過した光線から、２方向以上の軸外光束の片ボケ量を検出し、その片ボケ量が最小となるように、前記光学系内の単数或いは複数のレンズから成るレンズブロックの位置を、位置調整手段を用いて調整した後、その被調整レンズブロックを固定して組み立てられ、また、前記光学系はズームレンズ系であって、前記被調整レンズブロックは、ズーミングの際にその前後のレンズブロックとは独立に移動し、さらに、前記被調整レンズブロックは、偏心誤差感度に関して以下の条件式を満足する構成とする。
｜Ｋ（ａｘｃｍ）／Ｋ（ｄｍ）｜＜０．１
０．０１＜｜Ｋ（ｄｍ）／Ｙ｜＜０．２
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【０００８】
また、複数のレンズより構成された光学系において、その光学系の一部又は全部を透過した光線から、軸上光束の軸上コマ量を検出し、その軸上コマ量が最小となるように、前記光学系内の単数或いは複数のレンズから成るレンズブロックの位置を、位置調整手段を用いて調整した後、その被調整レンズブロックを固定して組み立てられ、また、前記光学系はズームレンズ系であって、前記被調整レンズブロックは、ズーミングの際にその前後のレンズブロックとは独立に移動し、さらに、前記被調整レンズブロックは、偏心誤差感度に関して以下の条件式を満足する構成とする。
｜Ｋ（ｄｍ）／Ｋ（ａｘｃｍ）｜＜３
０．０００３＜｜Ｋ（ａｘｃｍ）／Ｙ｜＜０．０２
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【００１０】
また、前記いずれかの、複数のレンズより構成された光学系において、その光学系の一部又は全部を透過した光線から、軸上光束の軸上コマ量を検出し、その軸上コマ量が最小となるように、前記光学系内の単数或いは複数のレンズから成る第１のレンズブロックの位置を、位置調整手段を用いて調整し、その第１の被調整レンズブロックを固定した後、前記光学系内の単数或いは複数のレンズから成る第２のレンズブロックが組み込まれるとともに、組み込まれたその第２のレンズブロックを含む光学系を透過した光線から、２方向以上の軸外光束の片ボケ量を検出し、その片ボケ量が最小となるように、前記第２のレンズブロックの位置を、位置調整手段を用いて調整した後、その第２の被調整レンズブロックを固定して組み立てられる構成とする。
【００１１】
或いは、前記いずれかの、複数のレンズより構成された光学系は、物体側より順に、正の第１レンズ群，正の第２レンズ群，正の第３レンズ群，負の第４レンズ群より構成され、各レンズ群間隔を変化させてズーミングを行うズームレンズ系であって、レンズ鏡胴の組立時に前記正の第２レンズ群を光軸と垂直に動かして軸上コマ調芯を行った後、前記正の第１レンズ群を光軸と垂直に動かして片ボケ調芯を行って組み立てる構成とする。
【００１２】
【発明の実施の形態】
以下、本発明の実施の形態について、図面を参照しながら説明する。図１，図２は、それぞれ第１，第２の実施形態の光学系のレンズ構成を示しており、ズームレンズ系における広角端（Ｗ）でのレンズ配置を示している。これらの図中の矢印ｍ１〜ｍ４は、それぞれ第１群Ｇｒ１〜第４群Ｇｒ４の広角端（Ｗ）から望遠端（Ｔ）にかけての移動を模式的に示している。
【００１３】
本発明のように、複数のレンズより構成された光学系において、その光学系の一部又は全部を透過した光線から、２方向以上の軸外光束の片ボケ量を検出し、その片ボケ量が最小となるように、前記光学系内の単数或いは複数のレンズから成るレンズブロックの位置を、位置調整手段を用いて調整した後、その被調整レンズブロックを固定して組み立てられる構成とする事で、非常にコンパクトな光学系を達成する事ができる。そして、本発明では片ボケ調整を対象となる光学系に適用する事で、非常にコンパクトで且つ片ボケの除去された、像面全体が性能の良い光学系を実現する事ができる。
【００１４】
ここで、軸外光束を検出する方向については、結像像面のフォーマットが横に長い場合は、長手方向の２方向だけで充分であるが、例えば銀塩カメラやデジタルカメラのように、フォーマットが正方形に近い場合は、４方向以上を検出する事が必須となる。検出の原理については種々あるが、例えばカメラの中で距離測定に使われているＡＦ（オートフォーカス）モジュールや、ＰＳＤ素子によるＭＴＦ検出、ＣＣＤ素子による最大光量の検出等が考えられる。片ボケ量の検出結果とレンズ位置調整機構は互いに連動しており、お互いの作業をフィードバックしながら片ボケ量を最小に押さえ込んで行くような構成が必要となる。
【００１５】
また、前記光学系はズームレンズ系であって、前記被調整レンズブロックは、ズーミングの際にその前後のレンズブロックとは独立に移動する構成とし、ズームレンズのズームブロック間に前記片ボケ調整を適用する事で、非常にコンパクトで偏心誤差感度の大きなズーム光学系に関しても、良好な像面性能を確保する事ができる。
【００１６】
さらに、前記被調整レンズブロックは、偏心誤差感度に関して以下の条件式を満足する構成とする事で、更に良好な性能を持ったズームレンズを提供する事ができる。
｜Ｋ（ａｘｃｍ）／Ｋ（ｄｍ）｜＜０．１                                （１）
０．０１＜｜Ｋ（ｄｍ）／Ｙ｜＜０．２                                    （２）
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【００１７】
前記単数或いは複数のレンズから成る被調整レンズブロックの軸上コマの誤差感度が大きい場合、前記片ボケ調整によって片ボケは除去する事ができたとしても、軸上コマは残ってしまう。従って、被調整レンズブロックの軸上コマに関する誤差感度は、できる限り小さくする必要がある。つまり、条件式（１）が上限を越えると、片ボケ調整後に残存する軸上コマが大きくなり、所望する軸上性能を確保する事ができなくなる。
【００１８】
そして、被調整レンズブロックの片ボケに関する感度のオーダーも重要である。つまり、条件式（２）の下限を下回るほどに片ボケ感度が小さいと、被調整レンズブロックの調整時のレンズ移動量が大きくなる。これによって、レンズ外径と鏡胴玉枠内径の余裕量を大きく確保する事が必須となり、レンズ鏡胴の径方向の増大を招く。逆に、（２）が上限値を上回るほどに片ボケ感度が大きいと、被調整レンズブロックの調整時のレンズ移動量は小さくなるものの、被調整レンズブロックの位置決め誤差による片ボケの劣化が大きくなり、軸外性能の低下を引き起こす事になる。
【００１９】
本発明ではまた、複数のレンズより構成された光学系において、その光学系の一部又は全部を透過した光線から、軸上光束の軸上コマ量を検出し、その軸上コマ量が最小となるように、前記光学系内の単数或いは複数のレンズから成るレンズブロックの位置を、位置調整手段を用いて調整した後、その被調整レンズブロックを固定して組み立てられる構成とする事で、非常にコンパクトな光学系を達成する事ができる。そして、本発明では軸上コマ調整を対象となる光学系に適用する事で、非常にコンパクトで且つ軸上コマの除去された、特に軸上性能の良い光学系を実現する事ができる。
【００２０】
また、前記光学系はズームレンズ系であって、前記被調整レンズブロックは、ズーミングの際にその前後のレンズブロックとは独立に移動する構成とし、ズームレンズのズームブロック間に前記軸上コマ調整を適用する事で、非常にコンパクトで偏心誤差感度の大きなズーム光学系に関しても、良好な軸上性能を確保する事ができる。
【００２１】
さらに、前記被調整レンズブロックは、偏心誤差感度に関して以下の条件式を満足する構成とする事で、更に良好な性能を持ったズームレンズを提供する事ができる。
｜Ｋ（ｄｍ）／Ｋ（ａｘｃｍ）｜＜３                                        （３）
０．０００３＜｜Ｋ（ａｘｃｍ）／Ｙ｜＜０．０２                （４）
但し、
Ｋ（ａｘｃｍ）：望遠端における前記被調整レンズブロックが、光軸と垂直方向に０．１ｍｍ移動したときに、軸上入射高さ０．７Ｈのところで発生する軸上コマ量
Ｈ：望遠端で軸上開放光線が第１面を通過するときの光軸からの高さ
Ｋ（ｄｍ）：望遠端における前記被調整レンズブロックが、光軸と垂直方向に０．１ｍｍ移動したときに、像高０．７Ｙのところで発生する片ボケ量
Ｙ：像面での対角長さ／２
である。
【００２２】
前記単数或いは複数のレンズから成る被調整レンズブロックの片ボケの誤差感度が大きい場合、前記軸上コマ調整によって軸上コマは除去する事ができたとしても、片ボケは残ってしまう。従って、被調整レンズブロックの片ボケに関する誤差感度は、できる限り小さくする必要がある。つまり、条件式（３）が上限を越えると、軸上コマ調整後に残存する片ボケが大きくなり、所望する像面性能を確保する事ができなくなる。
【００２３】
そして、被調整レンズブロックの片ボケに関する感度のオーダーも重要である。つまり、条件式（４）の下限を下回るほどに軸上コマ感度が小さいと、被調整レンズブロックの調整時のレンズ移動量が大きくなる。これによって、レンズ外径と鏡胴玉枠内径の余裕量を大きく確保する事が必須となり、レンズ鏡胴の径方向の増大を招く。逆に、（４）が上限値を上回るほどに軸上コマ感度が大きいと、被調整レンズブロックの調整時のレンズ移動量は小さくなるものの、被調整レンズブロックの位置決め誤差による軸上コマの劣化が大きくなり、軸上性能の低下を引き起こす事になる。
【００２４】
本発明ではまた、複数のレンズより構成された光学系において、その光学系の一部又は全部を透過した光線から、軸上光束の軸上コマ量を検出し、その軸上コマ量が最小となるように、前記光学系内の単数或いは複数のレンズから成る第１のレンズブロックの位置を、位置調整手段を用いて調整し、その第１の被調整レンズブロックを固定した後、前記光学系内の単数或いは複数のレンズから成る第２のレンズブロックが組み込まれるとともに、組み込まれたその第２のレンズブロックを含む光学系を透過した光線から、２方向以上の軸外光束の片ボケ量を検出し、その片ボケ量が最小となるように、前記第２のレンズブロックの位置を、位置調整手段を用いて調整した後、その第２の被調整レンズブロックを固定して組み立てられる構成とする事で、非常にコンパクトなズームレンズを提供する事ができる。
【００２５】
光学系の小型化により、各レンズ或いはレンズブロックの偏心誤差感度が増大しているのは上述した通りであるが、偏心収差は軸上コマ，片ボケの、大きく２つがあり、これら２つとも除去する事が、光学系の性能確保のためには必須である。そのためには、大きな誤差感度を有する光学系に対しては、これら２種類の調整をどちらも行う事が有効になる。
【００２６】
ここで問題になるのが、第１の調整を行った後に残存するもう一方の偏心収差である。今、第１の調整で動かす単数或いは複数のレンズから成るレンズブロックの、片ボケの誤差感度が大きい場合、第１の調整によって軸上コマは除去できたとしても、片ボケは残ってしまう。そこで、第２の調整として片ボケ調整を行ったとしても、第２の調整で動かす単数或いは複数のレンズから成るレンズブロックの、軸上コマの誤差感度が大きい場合、また軸上コマが残ってしまい、堂々巡りとなる。ここで大切なのは、最後の調整（ここでは前記第２の片ボケ調整）で動かす単数或いは複数のレンズから成るレンズブロックの片ボケの誤差感度を、限りなく０に近づける事である。
【００２７】
ここで、ＬＳ（レンズシャッター）用のズームレンズを考える。昨今、ＬＳ用のズームレンズに対しては、ズーム比の拡大要求とともに、コンパクト化の要望が、以前にも増して大きくなってきている。光学系をコンパクトに設計したときの弊害としては、一般的にレンズの偏心誤差感度が増大する事が挙げられる。
【００２８】
今、ＬＳ用の、ズーム比５倍程度の光学系で、物体側より順に、正の第１レンズ群，正の第２レンズ群，正の第３レンズ群，負の第４レンズ群より構成され、各レンズ群間隔を変化させてズーミングを行うズームレンズを考えたとき、各レンズブロックの偏心誤差感度が非常に大きくなり、従来より行っているような調整なしの組立方法では、所望の性能を確保する事ができなくなってきているのが分かる。そこで、前述したような調整方法が有効となってくる。
【００２９】
つまり、具体的には、鏡胴の組立工程において、まず、第３レンズ群，第４レンズ群，第２レンズ群の順番で組み立てて行き、第２レンズ群の前方より所望の光線を入射させ、検出系を像面側に配置する構成にするとともに、第２レンズ群を光軸に対して垂直に動かして、軸上コマ調整を行う。この調整によって、第２，第３，第４レンズ群での軸上コマは除去される。ところが、第２レンズ群の片ボケ感度が大きいため、このままでは第２，第３，第４レンズ群での片ボケは大きく残ってしまう。
【００３０】
これを、次の調整によって除去する。つまり、第２，第３，第４レンズ群に第１レンズ群を組み入れた状態で、第１レンズ群の前方より所望の光線を入射させ、検出系を像面側に配置する構成にするとともに、第１レンズ群を光軸と垂直に動かして、片ボケ調整を行う。この調整によって、第１，第２，第３，第４レンズ群での片ボケは除去される。しかも、第１レンズ群の軸上コマ感度は非常に小さいために、軸上コマを悪化させる事はなく、その結果、軸上，軸外共に良好な光学性能を持った光学系を組み立てる事ができる。
【００３１】
以下、本発明による光学系の構成を、コンストラクションデータを挙げて、更に具体的に示す。尚、以下に挙げる実施例１，２は、前述した第１，第２の実施形態にそれぞれ対応しており、第１，第２の実施形態を表すレンズ構成図（図１，図２）は、対応する実施例１，２のレンズ構成をそれぞれ示している。
【００３２】
各実施例において、ｒｉ（ｉ＝１，２，３．．．）は、物体側から数えてｉ  番目の面の曲率半径を示し、ｄｉ（ｉ＝１，２，３．．．）は、物体側から数えてｉ  番目の軸上面間隔を示し、Ｎｉ（ｉ＝１，２，３．．．），νｉ（ｉ＝１，２，３．．．）  は、それぞれ物体側から数えてｉ  番目のレンズのｄ線に対する屈折率，アッベ数を示す。また、全系の焦点距離ｆ，ＦナンバーＦＮＯ，及びズーミングで変化する間隔（軸上面間隔）は、左から順に、広角端（Ｗ），中間焦点距離（Ｍ），望遠端（Ｔ）でのそれぞれの値に対応している。尚、各実施例中、曲率半径に＊印を付した面は、非球面で構成された面である事を示し、非球面の面形状を表す式は、以下に定義する。
【００３３】
Ｙ＝ＣＸ２  ／｛１＋（１−εＣ２Ｘ２）１／２  ｝＋ΣＡｉＸｉ
但し、
Ｘ      ：光軸と垂直な方向の高さ
Ｙ      ：光軸方向の基準面からの変位量
Ｃ      ：近軸曲率
ε      ：２次曲面パラメータ
Ａｉ      ：ｉ次の非球面係数
である。
【００３４】
また、表１〜表４は誤差感度表であり、表中のＡＸＣＭは上記Ｋ（ａｘｃｍ）を表し、ＤＭはＫ（ｄｍ）／２を表している。さらに、ＳＴは偏心の無い基準位置状態（ｓｔａｎｄａｒｄ）を表している。これにより、基準位置状態及び各レンズ群が０．１ｍｍ平行偏心したときの、各偏心収差の発生量が分かる。
【００３５】
0003611072.tif 000002
0003611072.tif 000003
0003611072.tif 000004
【００３６】
0003611072.tif 000005
【００３７】
0003611072.tif 000006
【００３８】
0003611072.tif 000007
【００３９】
0003611072.tif 000008
【００４０】
0003611072.tif 000009
【００４１】
0003611072.tif 000010
【表１】
0003611072.tif 000011
【００４２】
【表２】
0003611072.tif 000012
【００４３】
0003611072.tif 000013
0003611072.tif 000014
【００４４】
0003611072.tif 000015
【表３】
0003611072.tif 000016
【００４５】
【表４】
0003611072.tif 000017
【００４６】
表５に、それぞれ実施例１，２における前記条件式（１）乃至（４）に対応する値を示す。
【表５】
0003611072.tif 000018
【００４７】
【発明の効果】
以上説明したように、本発明によれば、小型化により各偏心誤差感度が大きくなったため、従来の組立方法では所望の性能を確保する事ができなくなった光学系について、その性能を確保するためのレンズ位置調整方法を用いて組み立てる事ができるように構成した光学系を提供する事ができる。
【００４８】
特に、請求項１によるならば、非常にコンパクトな光学系を達成する事が可能であり、そして、片ボケ調整を対象となる光学系に適用する事で、非常にコンパクトで且つ片ボケの除去された、像面全体が性能の良い光学系を実現する事ができ、また、ズームレンズのズームブロック間に前記片ボケ調整を適用する事で、非常にコンパクトで偏心誤差感度の大きなズーム光学系に関しても、良好な像面性能を確保する事ができ、さらに、条件式を満足することにより、更に良好な性能を持ったズームレンズを提供する事ができる。
【００４９】
また、請求項２によるならば、非常にコンパクトな光学系を達成する事が可能であり、そして、軸上コマ調整を対象となる光学系に適用する事で、非常にコンパクトで且つ軸上コマの除去された、特に軸上性能の良い光学系を実現する事ができ、また、ズームレンズのズームブロック間に前記軸上コマ調整を適用する事で、非常にコンパクトで偏心誤差感度の大きなズーム光学系に関しても、良好な軸上性能を確保する事ができ、さらに、条件式を満足することにより、更に良好な性能を持ったズームレンズを提供する事ができる。
【００５０】
また、請求項３によるならば、軸上コマ，片ボケの、大きく２つの偏心収差が除去され、非常にコンパクトなズームレンズを提供する事ができる。さらに、請求項４によるならば、軸上，軸外共に良好な光学性能を持ったズームレンズ光学系を組み立てる事ができる。
【図面の簡単な説明】
【図１】本発明の実施例１のレンズ構成図。
【図２】本発明の実施例２のレンズ構成図。
【符号の説明】
Ｇｒ１    第１群
Ｇｒ２    第２群
Ｇｒ３    第３群
Ｇｒ４    第４群
【図１】
0003611072.tif 000019
【図２】
0003611072.tif 000020